(57)【要約】      （修正有）【課題】幼児や子供が通電中のテーブルタップに触れて感電したり、プラグを引き抜いたりするのを防止するテーブルタップの感電防止具を提供する。【解決手段】複数枚の布を四角形に縫い重ねた四角形シート２の片面の一辺縁に面ファスナー３の一方のファスナー片３ａを、対向する他方の辺縁に一方のファスナー片３ａに係着する他方のファスナー片３ｂを表、裏両面に取り付ける。一方と他方のファスナー片３ａ、３ｂが取り付けられた四角形シート２の面を内側にしてプラグ７の差し込まれたテーブルタップ８を包み込むように四角形シート２を折り畳み、一方のファスナー片３ａを四角形シート２の表面、又は裏面に取り付けた他方のファスナー片３ｂに係着させてテーブルタップ８を包み込む。更に、裏面における一方のファスナー片３ａと他方のファスナー片３ｂの間の面には、電気絶縁性と難燃性を有するシート４が縫いつけてある。【選択図】図２
0003201461.tif 000002
【実用新案登録請求の範囲】
【請求項１】
幼児や子供が通電中のテーブルタップに触れて感電するのを防止するためのテーブルタップの感電防止具であって、
該感電防止具は複数枚の布を四角形に縫い重ねた四角形シートで構成され、該四角形シートの片面の一辺縁には面ファスナーの一方のファスナー片が、該辺縁に対向する他方の辺縁には該一方のファスナー片に係着する他方のファスナー片が表、裏両面に取り付けてあり、
前記一方と他方のファスナー片が取り付けられた四角形シートの面を内側にしてプラグの差し込まれたテーブルタップを包み込むように四角形シートを折り畳み、前記一方のファスナー片を四角形シートの表面、又は裏面に取り付けた前記他方のファスナー片に係着させ、テーブルタップに繋がるケーブルはファスナー片の取り付けられていない辺、又は係着させたファスナー片の片の間から外部に引き出して使用するように構成されていることを特徴とするテーブルタップの感電防止具。
【請求項２】
請求項１に記載のテーブルタップの感電防止具において、前記四角形シートにおける前記一方と他方のファスナー片が取りつけられた面のそれらファスナー片間には電気絶縁性と難燃性を有するシートが縫いつけてあることを特徴とするテーブルタップの感電防止具である
【考案の詳細な説明】
【技術分野】
【０００１】
本考案は、幼児や子供が通電中のテーブルタップに触れて感電したり、テーブルタップをおもちゃにして遊んだりするのを防止するためのテーブルタップの感電防止具に関する。
【背景技術】
【０００２】
テーブルタップは延長コードとも呼ばれ、壁等に設置されたコンセントから離れた場所の電気器具に電源を供給するための電気器具であり、一般家庭で広く使用されている。テーブルタップ本体には複数のプラグ差込口が設けられており、それら差込口への導通のオン／オフ切り替えを可能とするタンブラースイッチ、それら差込口への導通状態を表示する表示器ランプを備えたものもある。テーブルタップの複数のプラグ差込口には電気の供給を受ける電気器具から延びるコード端末のプラグが差し込まれる。
【０００３】
こうした複数のプラグが差し込まれ、更にはタンブラースイッチの切り替えで表示器ランプを点滅させられるテーブルタップは幼児や子供にとってはおもちゃのように思える。このため幼児や子供がテーブルタップに差し込まれたプラグをいじって引き抜いたり、タンブラースイッチをオン／オフ操作して表示器ランプを点滅させて遊んだりすることがある。通電状態にあるテーブルタップをこのようにおもちゃがわりに使用することは危険である。幼児や子供の小さな指先がプラグの差し込まれていないプラグ差込口に入り込んで感電したり、半分引き抜かれたプラグの足に触れて感電したりすることがある。また、いたずらでプラグを引き抜かれたのでは電気器具への電源供給が止まってしまう。
【０００４】
こうした感電やいたずらを防止するため、例えば、特許文献１には、円筒状本体を縦割りに２分割し、一方の接合部に開閉蝶番を、他方の接合部に止め具を取付け、更に接合部にコードを引き出すガイド孔を設けた感電防止用テーブルタップコンセントカバーが開示されている。しかし、このカバーの場合はカバーを硬さのある樹脂で製作して開閉蝶番を取付ける等、面倒である。また、テーブルタップのプラグ差込口数に応じて寸法を変える必要もある。
【先行技術文献】
【特許文献】
【０００５】
【特許文献１】特開２０００−３０７９１号公報
【考案の開示】
【考案が解決しようとする課題】
【０００６】
本考案は、従来技術のこうした問題点を解決するためになされたもので、その課題は、幼児や子供が通電中のテーブルタップに触れて感電したり、テーブルタップをおもちゃにして遊んだりするのを防止することができ、構造が簡単で、プラグ差込口数の違うテーブルタップにも対応できるテーブルタップの感電防止具を提供することにある。
【課題を解決するための手段】
【０００７】
前記課題を解決するための請求項１に記載の考案は、幼児や子供が通電中のテーブルタップに触れて感電するのを防止するためのテーブルタップの感電防止具であって、該感電防止具は複数枚の布を四角形に縫い重ねた四角形シートで構成され、該四角形シートの片面の一辺縁には面ファスナーの一方のファスナー片が、該辺縁に対向する他方の辺縁には該一方のファスナー片に係着する他方のファスナー片が表、裏両面に取り付けてあり、前記一方と他方のファスナー片が取り付けられた四角形シートの面を内側にしてプラグの差し込まれたテーブルタップを包み込むように四角形シートを折り畳み、前記一方のファスナー片を四角形シートの表面、又は裏面に取り付けた前記他方のファスナー片に係着させ、テーブルタップに繋がるケーブルはファスナー片の取り付けられていない辺、又は係着させたファスナー片の片の間から外部に引き出して使用するように構成されていることを特徴とするテーブルタップの感電防止具である。
【０００８】
このような構成の感電防止具でテーブルタップを包み込んでおけば、幼児や子供が通電中のテーブルタップに触れて感電したり、プラグを引き抜いたり、タンブラースイッチをオン／オフさせて通電を停止させたり、通電表示ランプを点滅させて遊んだりするのを防止することができる。また、構成が簡単で、プラグ差込口数が違うサイズの異なるテーブルタップにも適用できる利点を有する
【０００９】
また、請求項２に記載の考案は、請求項１に記載のテーブルタップの感電防止具において、前記四角形シートにおける前記一方と他方のファスナー片が取りつけられた面のそれらファスナー片間には電気絶縁性と難燃性を有するシートが縫いつけてあることを特徴とするテーブルタップの感電防止具である。
【００１０】
このような電気絶縁性と難燃性を有するシートが縫いつけておけばテーブルタップの発火による火災防止にも効果を発揮する。
【図面の簡単な説明】
【００１１】
【図１】本考案に係るテーブルタップの感電防止具１の外形図である。
【図２】四角形シート２の裏面の上に複数のプラグ７が差し込まれたテーブルタップ８を載置した状態図である。
【図３】ファスナー片３ａとファスナー片３ｂを係着させてテーブルタップを包み込んだ状態図である。
【図４】ファスナー片３ａとファスナー片３ｃを係着させてテーブルタップを包み込んだ状態図である。
【図５】図２に示した載置の仕方の他の実施形態である。
【図６】図３に示したテーブルタップの包み込み方の他の実施形態である。
【図７】図４に示したテーブルタップの包み込み方の他の実施形態である。
【考案を実施するための形態】
【００１２】
以下、本考案に係るテーブルタップの感電防止具の一実施形態について図面を参照して説明する。図１は本考案に係るテーブルタップの感電防止具１の外形図で、図１の（１）は広げた状態の内側正面図、図１の（２）はその右側面図である。感電防止具１は四角形の布を複数枚縫い重ねるか、布を四角形に折り重ねて縫い合わせるかして形成した四角形シート２と、その辺縁に取りつけた３個の面ファスナー片３で構成されている。四角形シート２を構成する布は天然繊維の布でもよいし、合成繊維の布でもよいが難燃性を有するものが好ましい。また、布に代えて難燃性と柔軟性を備えた合成樹脂製シートでもよい。四角形シート２の大きさは、二つ折りした間にテーブルタップを包み込める大きさとする。
【００１３】
四角形シート２には３個のファスナー片が縫いつけで取りつけてある。即ち、テーブルタップを包み込む側を裏面と呼ぶことにして、その裏面側で対向する２辺の一方の辺縁に一方のファスナー片３ａとして、例えば雄形ファスナー片が取りつけてある。同じ裏面でその一方の辺縁に対向する他方の辺縁には、その一方のファスナー片３ａと係合する他方のファスナー片３ｂとして雌形ファスナー片が取りつけてある。３個目のファスナー片３ｃは、前記他方のファスナー片３ｂとは背中合わせの表面側に取りつけてある。３個目のファスナー片３ｃは前記一方のファスナー片３ａと係合する雌形ファスナー片である。更に、裏面における一方のファスナー片３ａと他方のファスナー片３ｂの間の面には電気絶縁性と難燃性を有するシート４が縫いつけてある。
【００１４】
このように構成された感電防止具１によりテーブルタップによる感電を防止するには図２に示すように、広げた四角形シート２の裏面の上にケーブル６に繋がれた複数のプラグ７が差し込まれたテーブルタップ８を載置する。テーブルタップ８に直接繋がるケーブル６はファスナー片３ａ、３ｂが取りつけられていない辺から外に、各プラグ７に繋がるケーブル７ａはファスナー片３ａ又は３ｂを横切る方向にそれぞれ引き出しておく。
【００１５】
このようにテーブルタップ８を載置したならば、次に四角形シート２をテーブルタップ８を包み込むように二つ折りし、ファスナー片３ａとファスナー片３ｂを係着させる。係着させた状態の外観を図３に示す。各プラグ７に繋がるケーブル７ａは係着させたファスナー片３ａ、３ｂの間から外に引きだしておく。テーブルタップ８の包み込みは、裏面のファスナー片３ａと表面のファスナー片３ｃを係着させて行なってもよい。そのようにして包み込んだ状態の外観を図４に示す。
【００１６】
図５、図６、図７は四角形シート２によるテーブルタップ８の包み方の他の実施形態である。この実施形態では図５に示すように、広げた四角形シート２の裏面の上にケーブル６に繋がれた複数のプラグ７が差し込まれたテーブルタップ８を載置し、テーブルタップ８に直接繋がるケーブル６と、各プラグ７に繋がるケーブル７ａをともにファスナー片３ａ、３ｂが取りつけられていない辺から外に引き出しておく。そして図６に示すように四角形シート２をテーブルタップ８を包み込むように二つ折りし、ファスナー片３ａとファスナー片３ｂを係着させる。各プラグ７に繋がるケーブル７ａはファスナー片が取りつけられていない開口から外に引きだす。または図７に示すように、裏面のファスナー片３ａと表面のファスナー片３ｃを係着させて各プラグ７に繋がるケーブル７ａをファスナー片が取りつけられていない開口から外に引きだしてもよい。
【００１７】
このような構成の感電防止具１にて図３、図４、図６、図７に示したようにテーブルタップを包み込んでおけば、幼児や子供が通電中のテーブルタップに触れて感電したり、プラグを引き抜いたり、タンブラースイッチをオン／オフさせて通電を停止させたり、通電表示ランプを点滅させたりするのを防止することができる。また、感電防止具１がテーブルタップを包む面には電気絶縁性と難燃性を有するシート４が縫いけてあるのでテーブルタップの発火による火災防止にも効果がある。更に、四角形シート２でテーブルタップを包む構成であるため、プラグ差込口数の違うサイズの異なるテーブルタップにも適用でき、構造も簡単である利点を有する。
【符号の説明】
【００１８】
図面中、１はテーブルタップの感電防止具、２は四角形シート、３、３ａ、３ｂ、３ｃはファスナー片、４は電気絶縁性と難燃性を有するシート、６、７ａはケーブル、８はテーブルタップを示す。
【図１】
0003201461.tif 000003
【図２】
0003201461.tif 000004
【図３】
0003201461.tif 000005
【図４】
0003201461.tif 000006
【図５】
0003201461.tif 000007
【図６】
0003201461.tif 000008
【図７】
0003201461.tif 000009